(57)【要約】【課題】  操作者が視認性に乏しい場所に設置された作業装置の操作を行う場合に、当該装置の周辺において作業を行う作業者が、作業装置の予期しない動作によって危険に曝されることを防止する。【解決手段】  万一、操作者がＸ線診断装置１の周辺で作業を行う作業者（但し、作業バッチ８を携帯する）が居るにも関らず操作装置５のＸ線照射スイッチ５ａを押してしまった場合、Ｘ線照射要求信号を受けた問合せ発信／応答受信部５ｂが、そのＸ線照射要求信号を保留とし、作業バッチ８に対してＸ線診断装置１の周辺で作業を行う作業者の有無を問い合わせて、これを受けた問合わせ受信／応答発信部８ｂが操作装置５に対して“作業を行う作業者が有り”の応答を行い、これを受けた問合せ発信／応答受信部５ｂが指示信号送信制御部５ｃに対してＸ線照射中止要求信号を送信し、これを受けた指示信号送信制御部５ｃが保留されていたＸ線照射要求信号を無効とする処理を行う。【選択図】      図２
2005160768.tif 000002
【特許請求の範囲】
【請求項１】
作業装置周辺における作業者の有無の問い合わせを受信する問合せ受信手段と、
前記受信した問い合わせを受けて、前記作業者の有無の応答を発信する応答発信手段と、を有する携帯端末と、
前記作業装置に対して所定作業の開始を指示する操作を行うための操作手段と、
前記操作手段による操作が行われた場合に、前記作業装置に対する所定作業の開始の指示を保留し、前記携帯端末に対して前記作業者の有無の問い合わせを発信する問合せ発信手段と、
前記発信された応答を受信する応答受信手段と、
前記受信された応答が前記作業者が有りの応答であった場合に、前記保留された前記作業装置に対する所定作業の開始の指示を無効とする処理を行う制御手段と、を有する操作装置と、を備えたことを特徴とする作業者確認システム。
【請求項２】
前記携帯端末は、前記応答発信手段の発信動作をＯＮ／ＯＦＦするための切替手段をさらに有し、
前記制御手段は、前記切替手段によって前記応答発信手段の発信動作がＯＮとされて、前記応答受信手段が前記応答発信手段からの応答を受けた場合に、当該応答を前記作業者が有りの応答とし、前記切替手段によって前記応答発信手段の発信動作がＯＦＦとされて、前記応答受信手段が所定時間経過しても前記応答発信手段からの応答を受けなかった場合に、前記保留された前記作業装置に対する所定作業の開始の指示を前記作業装置へ送信する処理を行うことを特徴とする請求項１記載の作業者確認システム。
【請求項３】
作業装置周辺における作業者の有無の問い合わせを受信する問合せ受信手段と、
前記受信した問い合わせを受けて、前記作業者の有無の応答を発信する応答発信手段と、を有する携帯端末と、
前記作業装置に対して所定作業の開始を指示する操作を行うための操作手段と、
前記操作手段による操作が行われた場合に、前記作業装置に対する所定作業の開始の指示を保留し、前記携帯端末に対して前記作業者の有無の問い合わせを発信する問合せ発信手段と、
前記発信された応答を受信する応答受信手段と、
前記受信された応答が前記作業者が無しの応答であった場合にのみ、前記保留された前記作業装置に対する所定作業の開始の指示を前記作業装置へ送信する処理を行う制御手段と、を有する操作装置と、を備えたことを特徴とする作業者確認システム。
【請求項４】
前記操作装置は、前記受信された応答が前記作業者が有りの応答であった場合に、その旨の報知を行う報知手段をさらに備えたことを特徴とする請求項１乃至請求項３の何れか一項に記載の作業者確認システム。
【請求項５】
前記作業装置は、作業室に設置され、前記操作装置は、前記作業室と仕切り壁を介して隔てられた操作室に設置され、前記携帯端末は、前記作業装置周辺における作業者によって携帯されることを特徴とする請求項１乃至請求項４の何れか一項に記載の作業者確認システム。
【請求項６】
前記携帯端末は、検知電波を受けてタグ信号を発信するタグ信号発信手段をさらに有し、
前記切替手段は、前記タグ信号発信手段の発信動作をＯＮ／ＯＦＦするためのものでもあり、
前記作業室へ出入りするための出入口に設置され、
所定の領域内に前記検知電波を発信して、前記切替手段によって前記タグ信号発信手段の発信動作がＯＮとされた携帯端末が前記所定の領域内に進入した場合に前記タグ信号発信手段から発信される前記タグ信号を検知する検知手段と、
前記検知手段によって前記タグ信号が検知された場合に、その旨を報知する報知手段と、を有する報知装置をさらに備えたことを特徴とする請求項５記載の作業者確認システム。
【請求項７】
前記作業装置は、Ｘ線を照射するＸ線照射手段を有し、
前記所定作業は、前記Ｘ線照射手段による前記Ｘ線の照射であることを特徴とする請求項１乃至請求項６の何れか一項に記載の作業者確認システム。
【請求項８】
前記作業装置は、移動動作を行う可動部を有し、
前記所定作業は、前記可動部による前記移動動作であることを特徴とする請求項１乃至請求項６の何れか一項に記載の作業者確認システム。
【発明の詳細な説明】
【技術分野】
【０００１】
本発明は、操作者が視認性に乏しい場所に設置された作業装置の操作を行う場合に、当該装置の周辺において作業を行う作業者が、作業装置の予期しない動作によって危険に曝されることを防止するための作業者確認システムに関する。
【背景技術】
【０００２】
例えば、Ｘ線診断装置やＭＲＩ装置（磁気共鳴映像装置）などの画像診断装置は、仕切り壁によって囲まれた検査室に設置されることが通常であり、操作者は、この検査室と仕切り壁を介して区分けされた操作室において、これら画像診断装置の操作、具体的には、撮影装置による撮影操作や、撮影装置や寝台装置による移動操作などを行うことになっている。
【０００３】
このように、検査室と操作室とを仕切り壁によって区分けすることの理由は、画像診断装置から発生する騒音を遮蔽するため、また、画像診断装置の作業範囲内に不要人物が進入することを防止するため、さらに、撮影装置としてＸ線照射装置を有するＸ線診断装置などにおいては、Ｘ線照射装置から照射されたＸ線が外部へ拡散するのを防止するためなどである。
【０００４】
操作者は、実際には、この仕切り壁の一面に設けられた観察窓を介して検査室内の様子を伺いつつ、画像診断装置の周辺において作業を行っている作業者が居ないことを目視やマイクの呼び掛けなどによって確認した上で、当該画像診断装置の操作を行うことになっている。
【０００５】
このような配置関係を示す文献としては、例えばＭＲＩ装置に関して挙げれば、特開平１０−１７９５４３号公報に記載される医療検査装置（例えば、特許文献１参照）や、特開平１１−１９０６２号公報に記載される磁気共鳴検査装置（例えば、特許文献２参照）などがある。
【０００６】
【特許文献１】特開平１０−１７９５４３号公報（段落〔０００２〕‐〔０００５〕及び第２図、並びに、段落〔００１０〕‐〔００１４〕及び第１図）
【特許文献２】特開平１１−１９０６２号公報（段落〔０００２〕‐〔０００６〕及び第２図、並びに、段落〔００１０〕‐〔００１５〕及び第1図）
【発明の開示】
【発明が解決しようとする課題】
【０００７】
ところで、操作者は、上述したように、仕切り壁に設けられた観察窓を介してしか検査室内の様子を伺うことができず、検査室の全ての範囲を確認することは困難であるため、例えば寝台装置の周辺において作業者が（その移動範囲内で）作業していた場合であって、操作者が目視やマイクの呼び掛けなどによる安全確認を怠ってしまった場合には、寝台装置の移動操作を行ってしまうと、作業者と寝台装置とが接触してしまう可能性があった。また、Ｘ線診断装置などにおいては、例えばＸ線照射装置の周辺において作業者が（そのＸ線照射範囲内で）作業していた場合であって、同じく、操作者が安全確認を怠ってしまった場合には、Ｘ線照射装置のＸ線照射操作を行ってしまうと、作業者がＸ線照射装置から照射されたＸ線によって被曝してしまう可能性があった。
【０００８】
このようなことは、操作者が、視認性に乏しい検査室に設置された画像診断装置の操作を行うにも関らず、日常化された安全確認を慣れにより怠ってしまった場合や、当該画像診断装置のメンテナンスを行うサービスマンが操作者となる場合に、不慣れにより安全確認を怠ってしまった場合などに起こると考えられ、その対策を講じることが好ましいと思われた。
【０００９】
本発明は、上記事情に鑑みてなされたものであり、その目的とするところは、操作者が視認性に乏しい場所に設置された作業装置の操作を行った場合に、当該装置の周辺において作業を行う作業者の有無を判断して、作業者が有りと判断された場合に、その操作を無効として処理することで、作業者が作業装置の予期しない動作によって危険に曝されることを防止することができる作業者確認システムを提供することにある。
【課題を解決するための手段】
【００１０】
上記課題を解決するために、請求項１記載の発明は、作業装置周辺における作業者の有無の問い合わせを受信する問合せ受信手段と、前記受信した問い合わせを受けて、前記作業者の有無の応答を発信する応答発信手段と、を有する携帯端末と、前記作業装置に対して所定作業の開始を指示する操作を行うための操作手段と、前記操作手段による操作が行われた場合に、前記作業装置に対する所定作業の開始の指示を保留し、前記携帯端末に対して前記作業者の有無の問い合わせを発信する問合せ発信手段と、前記発信された応答を受信する応答受信手段と、前記受信された応答が前記作業者が有りの応答であった場合に、前記保留された前記作業装置に対する所定作業の開始の指示を無効とする処理を行う制御手段と、を有する操作装置と、を備えたことを特徴とする。
【００１１】
上記課題を解決するために、請求項２記載の発明は、請求項１記載の作業者確認システムであって、前記携帯端末は、前記応答発信手段の発信動作をＯＮ／ＯＦＦするための切替手段をさらに有し、前記制御手段は、前記切替手段によって前記応答発信手段の発信動作がＯＮとされて、前記応答受信手段が前記応答発信手段からの応答を受けた場合に、当該応答を前記作業者が有りの応答とし、前記切替手段によって前記応答発信手段の発信動作がＯＦＦとされて、前記応答受信手段が所定時間経過しても前記応答発信手段からの応答を受けなかった場合に、前記保留された前記作業装置に対する所定作業の開始の指示を前記作業装置へ送信する処理を行うことを特徴とする。
【００１２】
上記課題を解決するために、請求項３記載の発明は、作業装置周辺における作業者の有無の問い合わせを受信する問合せ受信手段と、前記受信した問い合わせを受けて、前記作業者の有無の応答を発信する応答発信手段と、を有する携帯端末と、前記作業装置に対して所定作業の開始を指示する操作を行うための操作手段と、前記操作手段による操作が行われた場合に、前記作業装置に対する所定作業の開始の指示を保留し、前記携帯端末に対して前記作業者の有無の問い合わせを発信する問合せ発信手段と、前記発信された応答を受信する応答受信手段と、前記受信された応答が前記作業者が無しの応答であった場合にのみ、前記保留された前記作業装置に対する所定作業の開始の指示を前記作業装置へ送信する処理を行う制御手段と、を有する操作装置と、を備えたことを特徴とする。
【００１３】
上記課題を解決するために、請求項４記載の発明は、請求項１乃至請求項３の何れか一項に記載の作業者確認システムであって、前記操作装置は、前記受信された応答が前記作業者が有りの応答であった場合に、その旨の報知を行う報知手段をさらに備えたことを特徴とする。
【００１４】
上記課題を解決するために、請求項５記載の発明は、請求項１乃至請求項４の何れか一項に記載の作業者確認システムであって、前記作業装置は、作業室に設置され、前記操作装置は、前記作業室と仕切り壁を介して隔てられた操作室に設置され、前記携帯端末は、前記作業装置周辺における作業者によって携帯されることを特徴とする。
【００１５】
上記課題を解決するために、請求項６記載の発明は、請求項５記載の作業者確認システムであって、前記携帯端末は、検知電波を受けてタグ信号を発信するタグ信号発信手段をさらに有し、前記切替手段は、前記タグ信号発信手段の発信動作をＯＮ／ＯＦＦするためのものでもあり、前記作業室へ出入りするための出入口に設置され、所定の領域内に前記検知電波を発信して、前記切替手段によって前記タグ信号発信手段の発信動作がＯＮとされた携帯端末が前記所定の領域内に進入した場合に前記タグ信号発信手段から発信される前記タグ信号を検知する検知手段と、前記検知手段によって前記タグ信号が検知された場合に、その旨を報知する報知手段と、を有する報知装置をさらに備えたことを特徴とする。
【００１６】
上記課題を解決するために、請求項７記載の発明は、請求項１乃至請求項６の何れか一項に記載の作業者確認システムであって、前記作業装置は、Ｘ線を照射するＸ線照射手段を有し、前記所定作業は、前記Ｘ線照射手段による前記Ｘ線の照射であることを特徴とする。
【００１７】
上記課題を解決するために、請求項８記載の発明は、請求項１乃至請求項６の何れか一項に記載の作業者確認システムであって、前記作業装置は、移動動作を行う可動部を有し、前記所定作業は、前記可動部による前記移動動作であることを特徴とする。
【発明の効果】
【００１８】
本発明である請求項１に係る作業者確認システムによれば、作業者が操作装置の操作手段によって、作業装置に対して所定作業の開始を指示する操作を行った場合に、当該装置の問合せ発信手段が、その作業装置に対する所定作業の開始の指示を保留し、携帯端末に対して作業装置周辺における作業者の有無の問い合わせを発信して、これを受けた携帯端末の応答発信手段が、作業者の有無の応答を発信して、これを受けた操作装置の制御手段が、その応答が“作業者が有りの応答”であった場合に、保留された作業装置に対する所定作業の開始の指示を無効とする処理を行うので、作業者は、作業装置の周辺において作業を行う場合に、携帯端末を身に付けておくことで、万一、操作者が目視や呼び掛けなどによる安全確認を怠り、作業装置に対して所定作業の開始を指示する操作を行ってしまった場合であっても、その所定作業の開始の指示が無効とされるので、自身が作業装置の予期しない動作によって危険に曝されることを防止することができる。
【００１９】
また、本発明である請求項２に係る作業者確認システムによれば、携帯端末が応答発信手段の発信動作をＯＮ／ＯＦＦするための切替手段を有し、制御手段が、この切替手段によって応答発信手段の発信動作がＯＮとされて、応答受信手段が応答発信手段からの応答を受けた場合に、当該応答を作業者が有りの応答とし、また、この切替手段によって応答発信手段の発信動作がＯＦＦとされて、応答受信手段が所定時間経過しても応答発信手段からの応答を受けなかった場合に、保留された作業装置に対する所定作業の開始の指示を作業装置へ送信する処理を行うので、作業者は、作業装置の周辺において作業を行う場合に、携帯端末を身に付けて、当該携帯端末の切替手段によって応答発信手段の発信動作をＯＮとしておくだけで、万一、操作者が目視や呼び掛けなどによる安全確認を怠り、作業装置に対して所定作業の開始を指示する操作を行ってしまった場合であっても、その所定作業の開始の指示が無効とされて、自身が作業装置の予期しない動作によって危険に曝されることを防止することができる。
【００２０】
また、本発明である請求項３に係る作業者確認システムによれば、作業者が操作装置の操作手段によって、作業装置に対して所定作業の開始を指示する操作を行った場合に、当該装置の問合せ発信手段が、その作業装置に対する所定作業の開始の指示を保留し、携帯端末に対して作業装置周辺における作業者の有無の問い合わせを発信して、これを受けた携帯端末の応答発信手段が、作業者の有無の応答を発信して、これを受けた操作装置の制御手段が、その応答が“作業者が無しの応答”であった場合にのみ、保留された作業装置に対する所定作業の開始の指示を作業装置へ送信する処理を行うので、作業者は、作業装置の周辺において作業を行う場合に、携帯端末を身に付けておくことで、万一、操作者が目視や呼び掛けなどによる安全確認を怠り、作業装置に対して所定作業の開始を指示する操作を行ってしまった場合であっても、その所定作業の開始の指示が作業装置へ送信されることがなくなるので、自身が作業装置の予期しない動作によって危険に曝されることを防止することができる。
【００２１】
また、本発明である請求項４に係る作業者確認システムによれば、報知手段が、携帯端末の応答発信手段から送信された作業者の有無の応答が“作業者が有りの応答”であった場合に、その旨の報知を行うので、操作者は、作業装置周辺において作業を行う作業者が居たことを知ることができ、また、自身が作業装置に対して行った所定作業の開始を指示する操作が無効として処理されたことを知ることができる。
【００２２】
また、本発明である請求項５に係る作業者確認システムによれば、作業装置が作業室に設置され、操作装置が作業室と仕切り壁を介して隔てられた操作室に設置され、携帯端末が作業装置の周辺において作業を行う作業者によって携帯される場合に適用されるので、操作者が操作室に設置された操作装置によって視認性に乏しい作業室に設置された作業装置の操作を行う場合に、当該作業装置の周辺において作業を行う作業者が作業装置の予期しない動作によって危険に曝されることを防止することができる。
【００２３】
また、本発明である請求項６に係る作業者確認システムによれば、携帯端末が検知電波を受けてタグ信号を発信するタグ信号発信手段をさらに有し、切替手段がこのタグ信号発信手段の発信動作をＯＮ／ＯＦＦするためのものでもあって、作業室へ出入りするための出入口に設置された報知装置の検知手段が、所定の領域内に検知電波を発信して、切替手段によってタグ信号発信手段の発信動作がＯＮとされた携帯端末が、この所定の領域内に進入した場合に、タグ信号発信手段から発信されるタグ信号を検知し、これを受けた報知手段が、その旨を報知するので、作業者は、作業が終了して検査室から退出する際に、自身が身に付けていた携帯端末の応答発信手段の発信動作をＯＦＦにすることを忘れていた場合であっても、これを知ることができる。
【００２４】
また、本発明である請求項７に係る作業者確認システムによれば、作業装置がＸ線を照射するＸ線照射手段を有し、所定作業がこのＸ線照射手段によるＸ線の照射である場合に適用されるので、作業者は、例えばＸ線照射手段であるＸ線照射装置を備えたＸ線診断装置やＸ線ＣＴ装置などの周辺において作業を行っていた場合であって、操作者が目視や呼び掛けなどによる安全確認を怠ってＸ線照射装置によるＸ線照射の開始を指示する操作を行ってしまった場合であっても、そのＸ線照射装置によるＸ線照射の開始の指示が無効とされるので、自身がＸ線照射装置から照射されるＸ線によって被曝してしまうことを防止することができる。
【００２５】
本発明である請求項８に係る作業者確認システムによれば、作業装置が移動動作を行う可動部を有し、所定作業がこの可動部による移動動作である場合に適用されるので、作業者は、例えば可動部である天板を備えた寝台装置などの周辺において作業を行っていた場合であって、操作者が目視や呼び掛けなどによる安全確認を怠って寝台装置による天板の移動動作の開始を指示する操作を行ってしまった場合であっても、その寝台装置による天板の移動動作の開始の指示が無効とされるので、自身が天板と接触してしまうことを防止することができる。
【発明を実施するための最良の形態】
【００２６】
以下、本発明に係る作業者確認システムの好適な一実施形態について、図面を参照しながら具体的に説明する。尚、以下においては、本発明に係る「作業装置」としてＸ線診断装置を例に採り、〔実施例１〕として、操作者が当該装置の操作装置（本発明に係る「操作手段」に対応する）によって、当該装置のＸ線照射部（本発明に係る「Ｘ線照射手段」に対応する）によるＸ線照射操作を行う場合について説明し、また、〔実施例２〕として、操作者が当該装置の操作装置によって、当該装置の天板（本発明に係る「可動部」に対応する）の移動操作を行う場合について説明する。
【００２７】
[作業者確認システム]
＜全体構成＞
図１に、本実施形態における作業者確認システムの全体構成を表す概観図を示す。図１に示すように、当該作業者確認システムは、仕切り壁２によって囲まれた検査室３に、作業装置であるＸ線診断装置１を設置し、また、この検査室３と仕切り壁２を介して区分けされた操作室４に、Ｘ線診断装置１の操作、具体的には、Ｘ線照射装置によるＸ線照射操作や、寝台装置による天板の移動操作などを行う操作装置５を設置している。さらに、仕切り壁２の一面には、被検者Ｐ２や作業者Ｐ３などが検査室３へ出入りするための出入口６を設けており、この出入口６の操作室４側の手前には、作業者Ｐ３がＸ線診断装置１のメンテナンスを行う際に携帯する作業バッチ８がその電源が“ＯＮ”の状態になったまま検査室３から持ち出されることを防止するための報知装置７を設置している（尚、この詳細については後述する）。
【００２８】
このような構成において、操作者Ｐ１は、通常、操作室４において、仕切り壁２に設けられた観察窓２ａを介して検査室３内の様子を伺いつつ、Ｘ線診断装置１の周辺において作業を行っている作業者Ｐ３が居ないことを目視やマイクの呼び掛けなどにより確認した上で、操作装置５によってＸ線診断装置１の操作を行うことになる。
【００２９】
＜詳細構成＞
【実施例１】
【００３０】
（操作装置によってＸ線照射の開始を指示する操作を行う場合）
ここで、図２に、当該作業者確認システムの制御構成を表す機能ブロック図を示す。図２に示すように、操作装置５は、少なくとも、Ｘ線診断装置１に対してＸ線照射部１ｂによるＸ線照射の開始を指示する操作を行うためのＸ線照射スイッチ５ａと、このＸ線照射スイッチ５ａから出力されたＸ線診断装置１に対するＸ線照射部１ｂによるＸ線照射の開始の指示信号（以下、Ｘ線照射要求信号と称する）を保留し、作業者Ｐ３が身に付けた作業バッチ８に対して、Ｘ線診断装置１の周辺において作業を行っている作業者の有無を問い合わせる問合せ信号を発信し、作業バッチ８からの作業者Ｐ３の有無の応答信号を受信する問合せ発信／応答受信部５ｂと、この問合せ発信／応答受信部５ｂが作業バッチ８からの応答信号を受信した場合に、これを“Ｘ線診断装置１の周辺において作業を行っている作業者が有り”の応答信号と見做して、当該問合せ発信／応答受信部５ｂによって保留されているＸ線照射要求信号を無効とする処理を行い、また、この問合せ発信／応答受信部５ｂが所定時間が経過しても作業バッチ８からの応答信号を受信しなかった場合に、これを問合せ発信／応答受信部５ｂが作業バッチ８から“Ｘ線診断装置１の周辺において作業を行っている作業者が無い”の応答信号を受信したものと見做して、この問合せ発信／応答受信部５ｂによって保留されているＸ線照射要求信号をＸ線診断装置１へ送信する処理を行う指示信号送信制御部５ｃと、を備えている。
【００３１】
また、作業バッチ８は、少なくとも、作業者Ｐ３が後述する問合せ受信／応答発信部８ｂの発信動作の入切を電源の“ＯＮ”状態と“ＯＦＦ”状態によって切り替えるための電源スイッチ８ａと、操作装置５から発信された問合せ信号を受信し、電源スイッチ８ａが“ＯＮ”状態とされていた場合に、その応答信号を発信する問合せ受信／応答発信部８ｂと、当該作業バッチ８の固有情報であるタグ信号を保持し、報知装置７から検知信号を受けた場合にこのタグ信号を発信するタグ信号保持部８ｃと、を備えている。尚、操作装置５の問合せ発信／応答受信部５ｂと、当該作業バッチ８の問合せ受信／応答発信部８ｂとは、電波送受信等を行う無線通信手段、又は、通信ケーブル等の有線通信手段によって接続されている。
【００３２】
また、Ｘ線診断装置１は、少なくとも、操作装置５から発信されたＸ線照射要求信号を受信する指示信号受信部１ａと、この指示信号受信部１ａが受信したＸ線照射要求信号を受けて、天板に載置される被検者に向かってＸ線を照射するＸ線照射部１ｂと、を備えている。尚、操作装置５の指示信号送信制御部５ｃと、当該Ｘ線診断装置１の指示信号受信部１ａとは、通信ケーブル等の有線通信手段によって接続されている。
【００３３】
また、報知装置７は、少なくとも、例えば対向する２つのアンテナ間において検知電波を発信し、これを受信することで、この２つのアンテナ間に作業バッチ８を身に付けた作業者Ｐ３が進入した場合であって、その作業バッチ８の電源スイッチ８ａが“ＯＮ”状態となっていた場合に、タグ信号保持部８ｃから発信されるタグ信号を含む検知電波（即ち、タグ信号保持部８ｃから発信されるタグ信号は、当該タグ信号保持部８ｃが受けた検知電波の応答波に含まれることになる）を検知するアンテナ部７ａと、このアンテナ部７ａによってタグ情報が検知された場合に、音、若しくは、音声、又は、光等によって、その旨の報知、即ち、作業バッチ８がその電源スイッチ８ａが“ＯＮ”の状態となったまま検査室３から持ち出されようとしていることを報知する報知部７ｂと、を備えている。
【００３４】
（Ｘ線照射の開始を指示する操作を行った時の処理の流れ）
ここで、図３（Ａ）、（Ｂ）に、当該作業者確認システムにおいて、操作者Ｐ１が操作装置５によってＸ線照射の開始を指示する操作を行った時の処理の流れを表すシーケンス図を示す。図３（Ａ）に示すように、このような構成において、作業者Ｐ３は、例えばＸ線診断装置１のＸ線照射装置の調整や確認を行う場合に、出入口６の操作室４側の手前の処において作業バッチ８を身に着ける。上述したように、この作業バッチ８には電源スイッチ８ａが付いており、作業者Ｐ３は、ここで、この電源スイッチを“ＯＮ”の状態にする。尚、作業バッチ８は、作業者Ｐ３がこれを携帯し忘れることを防止するべく、上述したように、検査室３へ出入りするための出入口６付近に設置しておくことが好ましい。また、作業者Ｐ３がこの作業バッチ８の電源スイッチを“ＯＮ”の状態にすることを忘れないように、その旨の注意書等をその周辺の仕切り壁２などに貼り付けておくことが好ましい。
【００３５】
このようにして、作業バッチ８の電源スイッチ８ａが“ＯＮ”の状態になると、当該作業バッチ８の問合せ受信／応答発信部８ｂは、不図示の電力供給源から電力の供給を受けて、応答を発信することが可能な状態となる。同様に、タグ信号保持部８ｃは、不図示の電力供給源から電力の供給を受けて、報知装置７から検知電波を受けた場合にタグ信号を発信することが可能な状態となる。
【００３６】
作業者Ｐ３は、この電源スイッチ８ａが“ＯＮ”の状態になった作業バッチ８を身に付けたままＸ線診断装置１のＸ線照射装置の調整や確認を行う。
【００３７】
ところで、操作者Ｐ１は、上述したように、操作室４において、仕切り壁２に設けられた観察窓２ａを介して検査室３内の様子を伺いつつ、Ｘ線診断装置１の周辺において作業を行っている作業者Ｐ３が居ないことを目視やマイクの呼び掛けなどにより確認した上で、操作装置５によってＸ線診断装置１の操作を行うのだが、ここで、操作者Ｐ１が作業者Ｐ３の有無を確認する安全確認を怠ってしまい、Ｘ線診断装置１のＸ線照射装置のＸ線照射操作、具体的には、Ｘ線照射スイッチ５ａを押してしまった場合について説明する（尚、ここで、操作者Ｐ１が作業者Ｐ３の有無を確認する安全確認を正しく行った場合には、その安全確認によって、作業を行っている作業者Ｐ３が居ることが発見されることになるため、特に問題が生じることはない）。
【００３８】
Ｘ線照射スイッチ５ａが押されると、問合せ発信／応答受信部５ｂに対してＸ線照射要求信号が送信される。これを受けた問合せ発信／応答受信部５ｂは、そのＸ線照射要求信号を保留にすると共に、作業バッチ８に対してＸ線診断装置１の周辺において作業を行っている作業者Ｐ３の有無を問い合わせる。具体的には、作業バッチ８の問合せ受信／応答発信部８ｂに対して通信確立要求信号を送信する。この際、不図示の計時部は、計時を開始する。これを受けて問合わせ受信／応答発信部８ｂは、操作装置５の問合せ発信／応答受信部５ｂに対して応答信号、具体的には、通信確立信号を送信する。
【００３９】
ここで、問合せ発信／応答受信部５ｂは、不図示の計時部によって所定時間が経過したことが検知される前に、この問合わせ受信／応答発信部８ｂからの応答信号を受けた場合には、指示信号送信制御部５ｃに対してＸ線照射中止要求信号を送信する。これを受けた指示信号送信制御部５ｃは、問合わせ受信／応答発信部８ｂが作業バッチ８から“Ｘ線診断装置１の周辺において作業を行っている作業者が有り”の応答信号を受信したものと見做して、Ｘ線照射中止処理、具体的には、問合わせ受信／応答発信部８ｂによって保留されたＸ線照射要求信号を無効とする処理を行う。これにより、操作者Ｐ１が行ったＸ線照射スイッチ５ａの操作は無効とされるので、作業者Ｐ３は、Ｘ線診断装置１のＸ線照射手段によって予期しないＸ線の照射が行われて、これに被曝してしまうことを防止することができる。
【００４０】
尚、操作装置５には、この指示信号送信制御部５ｃのＸ線照射中止処理を受けて、表示装置に対して“Ｘ線診断装置１の周辺において作業を行っている作業者Ｐ３が居た旨”や、“操作者Ｐ１が行ったＸ線照射スイッチ５ａの操作が無効とされた旨”を表示させる処理を行う表示制御部を設けることにしても良い。これにより、操作者Ｐ１は、Ｘ線診断装置１の周辺において作業を行っている作業者Ｐ３が居たことを知ることができる。また、自身が行ったＸ線照射スイッチ５ａの操作が無効とされたことを知ることができる。
【００４１】
ところで、このように操作者Ｐ１が操作装置５によってＸ線診断装置１の操作を行うことなく、作業者Ｐ３が作業を終えた場合には、作業者Ｐ３は、検査室３を出た出入口６の操作室４側の処において作業バッチ８の電源スイッチ８ａを“ＯＦＦ”の状態にし、当該作業バッチ８を外すことになる。
【００４２】
ここで、作業者Ｐ３が作業を終えたにもかかわらず、作業バッチ８の電源スイッチ８ａを“ＯＮ”の状態にしたまま検査室３から立ち去ろうとした場合には、その先に設置された報知装置７において、その旨が報知されることになる。
【００４３】
より詳細には、上述したように、作業バッチ８の電源スイッチ８ａが“ＯＮ”の状態にあると、タグ信号保持部８ｃは、不図示の電力供給源から電力の供給を受けて、報知装置７から検知電波を受けた場合にタグ信号を発信することが可能な状態となり、また、報知装置７においては、常時、対向する２つのアンテナ間において検知電波の発信とその受信を行っているため、作業者Ｐ３が作業バッチ８の電源スイッチ８ａを“ＯＮ”の状態にしたまま、この２つのアンテナ間に侵入すると、アンテナ部７ａによって、タグ信号保持部８ｃから発信されたタグ信号を含む検知電波の応答波が検出されて、これを受けた報知部７ｂが、その旨の報知、具体的には、音、又は、音声、若しくは光等による報知を行う。これにより、作業者Ｐ３は、自身が作業バッチ８の電源スイッチ８ａを“ＯＮ”の状態にしたまま検査室３から立ち去ろうとしていたことを知ることができる。
【００４４】
作業者Ｐ３は、これを受けて、作業バッチ８の電源スイッチ８ａを“ＯＦＦ”の状態にして、これを外し、仕切り壁２に掛けることになる。尚、このような報知装置７による報知を行うことで、例えば作業者Ｐ３が自身の作業バッチ８の電源スイッチ８ａを“ＯＮ”の状態にしたまま検査室３から立ち去ってしまった場合であって、操作者Ｐ１がＸ線診断装置１のＸ線照射装置によるＸ線照射を行うべく、操作装置５のＸ線照射スイッチ５ａを押した場合に、依然としてその操作が無効とされてしまうといったことを防止することができる。
【００４５】
ところで、作業者Ｐ３が作業を終えて、検査室３を出た出入口６の操作室４側の処において、正しく、作業バッチ８の電源スイッチ８ａを“ＯＦＦ”の状態にし、当該作業バッチ８を外した場合には、図３（Ｂ）に示すように、作業バッチ８の電源スイッチ８ａは“ＯＦＦ”の状態となる。
【００４６】
即ち、当該作業バッチ８の問合せ受信／応答発信部８ｂは、不図示の電力供給源から電力の供給を受けておらず、応答を発信することが不可能な状態となる。同様に、タグ信号保持部８ｃは、不図示の電力供給源から電力の供給を受けておらず、報知装置７から検知電波を受けた場合にタグ信号を発信することが不可能な状態となる。
【００４７】
ここで、このときの状態において、即ち、検査室３内においてＸ線診断装置１の作業を行っている作業者が誰も居ない状態において、操作者Ｐ１が、作業を行っている作業者の有無を確認する安全確認を怠ってしまい、操作装置５のＸ線照射スイッチ５ａを押してしまった場合（因みに、このような場合には、特に問題が生じることはないのだが、安全確認を怠った場合であっても通常通りの処理が行われることについて説明する）について説明する。
【００４８】
Ｘ線照射スイッチ５ａが押されると、問合せ発信／応答受信部５ｂに対してＸ線照射要求信号が送信される。これを受けた問合せ発信／応答受信部５ｂは、そのＸ線照射要求信号を保留にすると共に、作業バッチ８に対してＸ線診断装置１の周辺において作業を行っている作業者の有無を問い合わせる。具体的には、作業バッチ８の問合せ受信／応答発信部８ｂに対して通信確立要求信号を送信する。この際、不図示の計時部は、計時を開始する。
【００４９】
ところが、上述したように、作業バッチ８の問合せ受信／応答発信部８ｂは、不図示の電力供給源から電力の供給を受けておらず、応答信号を発信することが不可能な状態となっているため、通信が確立されることはなく、問合せ発信／応答受信部５ｂは、不図示の計時部によって所定時間が経過したことが検知される前に問合わせ受信／応答発信部８ｂからの応答信号を受信する場合ことはない。
【００５０】
ここで、不図示の計時部によって所定時間が経過したことが検知されると、問合せ発信／応答受信部５ｂは、指示信号送信制御部５ｃに対してＸ線照射要求信号を送信する。これを受けた指示信号送信制御部５ｃは、問合せ発信／応答受信部５ｂが作業バッチ８から“作業を行っている作業者が無し”の応答を受けたものと見做して、Ｘ線診断装置１に対してＸ線照射要求信号を送信する。
【００５１】
これを受けたＸ線診断装置１の指示信号受信部１ａは、Ｘ線照射部１ｂにＸ線照射指示信号を出力する。これにより、通常通りにＸ線照射部１ｂによるＸ線の照射が行われることになる。
【００５２】
＜詳細構成＞
【実施例２】
【００５３】
（操作装置によって天板の移動動作の開始を指示する操作を行う場合）
ここで、図４に、当該作業者確認システムの制御構成を表す機能ブロック図を示す。図４に示すように、操作装置５は、少なくとも、Ｘ線診断装置１の寝台装置による天板の移動動作の開始を指示する操作を行うための天板移動スイッチ５ｄと、この天板移動スイッチ５ｄから出力されたＸ線診断装置１に対する寝台装置による天板の移動動作の開始の指示信号（以下、天板移動動作要求信号と称する）を保留し、作業者Ｐ３が身に付けた作業バッチ８に対して、Ｘ線診断装置１の周辺において作業を行っている作業者の有無を問い合わせる問合せ信号を発信し、作業バッチ８からの作業者Ｐ３の有無の応答信号を受信する問合せ発信／応答受信部５ｂと、この問合せ発信／応答受信部５ｂが作業バッチ８からの応答信号を受信した場合に、これを“Ｘ線診断装置１の周辺において作業を行っている作業者が有り”の応答信号と見做して、当該問合せ発信／応答受信部５ｂによって保留されている天板移動動作要求信号を無効とする処理を行い、また、この問合せ発信／応答受信部５ｂが所定時間が経過しても作業バッチ８からの応答信号を受信しなかった場合に、これを問合せ発信／応答受信部５ｂが作業バッチ８から“Ｘ線診断装置１の周辺において作業を行っている作業者が無い”の応答信号を受信したものと見做して、この問合せ発信／応答受信部５ｂによって保留されている天板移動動作要求信号をＸ線診断装置１へ送信する処理を行う指示信号送信制御部５ｃと、を備えている。
【００５４】
また、作業バッチ８は、少なくとも、作業者Ｐ３が後述する問合せ受信／応答発信部８ｂの発信動作の入切を電源の“ＯＮ”状態と“ＯＦＦ”状態によって切り替えるための電源スイッチ８ａと、操作装置５から発信された問合せ信号を受信し、電源スイッチ８ａが“ＯＮ”状態とされていた場合に、その応答信号を発信する問合せ受信／応答発信部８ｂと、当該作業バッチ８の固有情報であるタグ信号を保持し、報知装置７から検知信号を受けた場合にこのタグ信号を発信するタグ信号保持部８ｃと、を備えている。尚、操作装置５の問合せ発信／応答受信部５ｂと、当該作業バッチ８の問合せ受信／応答発信部８ｂとは、電波送受信等を行う無線通信手段、又は、通信ケーブル等の有線通信手段によって接続されている。
【００５５】
また、Ｘ線診断装置１は、少なくとも、操作装置５から発信された天板移動要求信号を受信する指示信号受信部１ａと、この指示信号受信部１ａが受信した天板移動動作要求信号を受けて、天板を移動させる天板駆動部１ｃ（但し、当該天板駆動部１ｃは、寝台装置に内蔵される）と、を備えている。尚、操作装置５の指示信号送信制御部５ｃと、当該Ｘ線診断装置１の指示信号受信部１ａとは、通信ケーブル等の有線通信手段によって接続されている。
【００５６】
また、報知装置７は、少なくとも、例えば対向する２つのアンテナ間において検知電波を発信し、これを受信することで、この２つのアンテナ間に作業バッチ８を身に付けた作業者Ｐ３が進入した場合であって、その作業バッチ８の電源スイッチ８ａが“ＯＮ”状態となっていた場合に、タグ信号保持部８ｃから発信されるタグ信号を含む検知電波（即ち、タグ信号保持部８ｃから発信されるタグ信号は、当該タグ信号保持部８ｃが受けた検知電波の応答波に含まれることになる）を検知するアンテナ部７ａと、このアンテナ部７ａによってタグ情報が検知された場合に、音、若しくは、音声、又は、光等によって、その旨の報知、即ち、作業バッチ８がその電源スイッチ８ａが“ＯＮ”の状態となったまま検査室３から持ち出されようとしていることを報知する報知部７ｂと、を備えている。
【００５７】
（天板移動動作の開始を指示する操作を行った時の処理の流れ）
ここで、図５（Ａ）、（Ｂ）に、当該作業者確認システムにおいて、操作者Ｐ１が操作装置５によって天板移動動作の開始を指示する操作を行った時の処理の流れを表すシーケンス図を示す。図５（Ａ）に示すように、このような構成において、作業者Ｐ３は、例えばＸ線診断装置１の寝台装置の調整や確認を行う場合に、出入口６の操作室４側の手前の処において作業バッチ８を身に着ける。上述したように、この作業バッチ８には電源スイッチ８ａが付いており、作業者Ｐ３は、ここで、この電源スイッチを“ＯＮ”の状態にする。尚、作業バッチ８は、作業者Ｐ３がこれを携帯し忘れることを防止するべく、上述したように、検査室３へ出入りするための出入口６付近に設置しておくことが好ましい。また、作業者Ｐ３がこの作業バッチ８の電源スイッチを“ＯＮ”の状態にすることを忘れないように、その旨の注意書等をその周辺の仕切り壁２などに貼り付けておくことが好ましい。
【００５８】
このようにして、作業バッチ８の電源スイッチ８ａが“ＯＮ”の状態になると、当該作業バッチ８の問合せ受信／応答発信部８ｂは、不図示の電力供給源から電力の供給を受けて、応答を発信することが可能な状態となる。同様に、タグ信号保持部８ｃは、不図示の電力供給源から電力の供給を受けて、報知装置７から検知電波を受けた場合にタグ信号を発信することが可能な状態となる。
【００５９】
作業者Ｐ３は、この電源スイッチ８ａが“ＯＮ”の状態になった作業バッチ８を身に付けたままＸ線診断装置１の寝台装置の調整や確認を行う。
【００６０】
ところで、操作者Ｐ１は、上述したように、操作室４において、仕切り壁２に設けられた観察窓２ａを介して検査室３内の様子を伺いつつ、Ｘ線診断装置１の周辺において作業を行っている作業者Ｐ３が居ないことを目視やマイクの呼び掛けなどにより確認した上で、操作装置５によってＸ線診断装置１の操作を行うのだが、ここで、操作者Ｐ１が作業者Ｐ３の有無を確認する安全確認を怠ってしまい、Ｘ線診断装置１の寝台装置の天板移動操作、具体的には、天板移動スイッチ５ｄを押してしまった場合について説明する（尚、ここで、操作者Ｐ１が作業者Ｐ３の有無を確認する安全確認を正しく行った場合には、その安全確認によって、作業を行っている作業者Ｐ３が居ることが発見されることになるため、特に問題が生じることはない）。
【００６１】
天板移動スイッチ５ｄが押されると、問合せ発信／応答受信部５ｂに対して天板移動動作要求信号が送信される。これを受けた問合せ発信／応答受信部５ｂは、その天板移動動作要求信号を保留にすると共に、作業バッチ８に対してＸ線診断装置１の周辺において作業を行っている作業者Ｐ３の有無を問い合わせる。具体的には、作業バッチ８の問合せ受信／応答発信部８ｂに対して通信確立要求信号を送信する。この際、不図示の計時部は、計時を開始する。これを受けて問合わせ受信／応答発信部８ｂは、操作装置５の問合せ発信／応答受信部５ｂに対して応答信号、具体的には、通信確立信号を送信する。
【００６２】
ここで、問合せ発信／応答受信部５ｂは、不図示の計時部によって所定時間が経過したことが検知される前に、この問合わせ受信／応答発信部８ｂからの応答信号を受けた場合には、指示信号送信制御部５ｃに対して天板移動動作中止要求信号を送信する。これを受けた指示信号送信制御部５ｃは、問合わせ受信／応答発信部８ｂが作業バッチ８から“Ｘ線診断装置１の周辺において作業を行っている作業者が有り”の応答信号を受信したものと見做して、天板移動動作中止処理、具体的には、問合わせ受信／応答発信部８ｂによって保留された天板移動動作要求信号を無効とする処理を行う。これにより、操作者Ｐ１が行った天板移動スイッチ５ｄの操作は無効とされるので、作業者Ｐ３は、Ｘ線診断装置１の寝台装置によって予期しない天板の移動動作が行われて、これと接触してしまうことを防止することができる。
【００６３】
尚、操作装置５には、この指示信号送信制御部５ｃの天板移動動作中止処理を受けて、表示装置に対して“Ｘ線診断装置１の周辺において作業を行っている作業者Ｐ３が居た旨”や、“操作者Ｐ１が行った天板移動スイッチ５ｄの操作が無効とされた旨”を表示させる処理を行う表示制御部を設けることにしても良い。これにより、操作者Ｐ１は、Ｘ線診断装置１の周辺において作業を行っている作業者Ｐ３が居たことを知ることができる。また、自身が行った天板移動スイッチ５ｄの操作が無効とされたことを知ることができる。
【００６４】
ところで、このように操作者Ｐ１が操作装置５によってＸ線診断装置１の操作を行うことなく、作業者Ｐ３が作業を終えた場合には、作業者Ｐ３は、検査室３を出た出入口６の操作室４側の処において作業バッチ８の電源スイッチ８ａを“ＯＦＦ”の状態にし、当該作業バッチ８を外すことになる。
【００６５】
ここで、作業者Ｐ３が作業を終えたにもかかわらず、作業バッチ８の電源スイッチ８ａを“ＯＮ”の状態にしたまま検査室３から立ち去ろうとした場合には、その先に設置された報知装置７において、その旨が報知されることになる。
【００６６】
より詳細には、上述したように、作業バッチ８の電源スイッチ８ａが“ＯＮ”の状態にあると、タグ信号保持部８ｃは、不図示の電力供給源から電力の供給を受けて、報知装置７から検知電波を受けた場合にタグ信号を発信することが可能な状態となり、また、報知装置７においては、常時、対向する２つのアンテナ間において検知電波の発信とその受信を行っているため、作業者Ｐ３が作業バッチ８の電源スイッチ８ａを“ＯＮ”の状態にしたまま、この２つのアンテナ間に侵入すると、アンテナ部７ａによって、タグ信号保持部８ｃから発信されたタグ信号を含む検知電波の応答波が検出されて、これを受けた報知部７ｂが、その旨の報知、具体的には、音、又は、音声、若しくは光等による報知を行う。これにより、作業者Ｐ３は、自身が作業バッチ８の電源スイッチ８ａを“ＯＮ”の状態にしたまま検査室３から立ち去ろうとしていたことを知ることができる。
【００６７】
作業者Ｐ３は、これを受けて、作業バッチ８の電源スイッチ８ａを“ＯＦＦ”の状態にして、これを外し、仕切り壁２に掛けることになる。尚、このような報知装置７による報知を行うことで、例えば作業者Ｐ３が自身の作業バッチ８の電源スイッチ８ａを“ＯＮ”の状態にしたまま検査室３から立ち去ってしまった場合であって、操作者Ｐ１がＸ線診断装置１の寝台装置による天板の移動動作を行うべく、操作装置５の天板移動スイッチ５ｄを押した場合に、依然としてその操作が無効とされてしまうといったことを防止することができる。
【００６８】
ところで、作業者Ｐ３が作業を終えて、検査室３を出た出入口６の操作室４側の処において、正しく、作業バッチ８の電源スイッチ８ａを“ＯＦＦ”の状態にし、当該作業バッチ８を外した場合には、図５（Ｂ）に示すように、作業バッチ８の電源スイッチ８ａは“ＯＦＦ”の状態となる。
【００６９】
即ち、当該作業バッチ８の問合せ受信／応答発信部８ｂは、不図示の電力供給源から電力の供給を受けておらず、応答を発信することが不可能な状態となる。同様に、タグ信号保持部８ｃは、不図示の電力供給源から電力の供給を受けておらず、報知装置７から検知電波を受けた場合にタグ信号を発信することが不可能な状態となる。
【００７０】
ここで、このときの状態において、即ち、検査室３内においてＸ線診断装置１の作業を行っている作業者が誰も居ない状態において、操作者Ｐ１が、作業を行っている作業者の有無を確認する安全確認を怠ってしまい、操作装置５の天板移動スイッチ５ｄを押してしまった場合（因みに、このような場合には、特に問題が生じることはないのだが、安全確認を怠った場合であっても通常通りの処理が行われることについて説明する）について説明する。
【００７１】
天板移動スイッチ５ｄが押されると、問合せ発信／応答受信部５ｂに対して天板移動動作要求信号が送信される。これを受けた問合せ発信／応答受信部５ｂは、その天板移動動作要求信号を保留にすると共に、作業バッチ８に対してＸ線診断装置１の周辺において作業を行っている作業者の有無を問い合わせる。具体的には、作業バッチ８の問合せ受信／応答発信部８ｂに対して通信確立要求信号を送信する。この際、不図示の計時部は、計時を開始する。
【００７２】
ところが、上述したように、作業バッチ８の問合せ受信／応答発信部８ｂは、不図示の電力供給源から電力の供給を受けておらず、応答を発信することが不可能な状態となっているため、通信が確立されることはなく、問合せ発信／応答受信部５ｂは、不図示の計時部によって所定時間が経過したことが検知される前に問合わせ受信／応答発信部８ｂからの応答信号を受信する場合ことはない。
【００７３】
ここで、不図示の計時部によって所定時間が経過したことが検知されると、問合せ発信／応答受信部５ｂは、指示信号送信制御部５ｃに対して天板移動動作要求信号を送信する。これを受けた指示信号送信制御部５ｃは、問合せ発信／応答受信部５ｂが作業バッチ８から“作業を行っている作業者が無し”の応答を受けたものと見做して、Ｘ線診断装置１に対して天板移動動作要求信号を送信する。
【００７４】
これを受けたＸ線診断装置１の指示信号受信部１ａは、天板駆動部１ｃに天板移動動作指示信号を出力する。これにより、通常通りに天板駆動部１ｃによる天板の移動動作が行われることになる。
【００７５】
尚、以上に説明した〔実施例１〕及び〔実施例２〕における作業者確認システムは、本発明に係る作業者確認システムの好適な一実施形態を例示したものであり、その他の実施形態を除外するものではない。
【００７６】
例えば〔実施例１〕における作業者確認システムでは、本発明に係る「Ｘ線照射手段を有する作業装置」としてＸ線診断装置を例に採り説明したが、当該Ｘ線照射手段を有する作業装置は、これに限らず、例えばＸ線ＣＴ装置やＸ線ＴＶ寝台装置等であっても良い。また、〔実施例２〕における作業者確認システムでは、本発明に係る「可動部を有する作業装置」としてＸ線診断装置を例に採り説明したが、当該可動部を有する作業装置は、これに限らず、例えばＭＲＩ装置（磁気共鳴映像装置）、Ｘ線ＣＴ装置、Ｘ線ＴＶ寝台装置等の寝台装置を備えた医用画像診断装置であっても良い。さらには、所定作業を行うための可動部を有する工作機械等であっても良い（但し、操作者が視認性に乏しい場所に設置された当該工作機械を操作する場合に適用することとする）。
【００７７】
また、例えば〔実施例１〕及び〔実施例２〕における作業者確認システムでは、作業バッチ８に電源スイッチ８ａを設けて、当該電源スイッチ８ａによる電源“ＯＮ”状態と電源“ＯＦＦ”状態の切り替えによって、問合せ受信／応答発信部８ｂの応答信号発信動作や、タグ信号保持部８ｃのタグ信号発信動作の入切を行うこととし、当該電源スイッチ８ａの電源が“ＯＮ”の状態になっている場合には、問合せ受信／応答発信部８ｂが操作装置５から作業者の有無の問合せを受けた場合に、その応答信号を発信することとし、また、タグ信号保持部８ｃが報知装置７から検知電波を受けた場合にタグ信号を発信することとし、一方、当該電源スイッチ８ａの電源が“ＯＦＦ”の状態になっている場合には、問合せ受信／応答発信部８ｂが操作装置５から作業者の有無の問合せを受けた場合であっても、その応答信号を発信することができないため、操作装置５の指示信号送信制御部５ｃは、これを、問合せ発信／応答受信部５ｂが作業バッチ８から“作業を行っている作業者が無し”の応答を受信したものと見做すこととし、また、タグ信号保持部８ｃが報知装置７から検知電波を受けた場合であっても、タグ信号を発信することができないこととしたが、当該作業バッチ８と操作装置５との間の通信態様、また、当該作業バッチ８と報知装置７との間の通信態様は、これに限らず、例えば作業バッチ８には電源スイッチ８ａを設けずに、即ち、当該作業バッチ８の電源は、常に“ＯＮ”の状態として、その替わりに、作業者が“作業中”と“非作業中”とを切り替えるための切替スイッチを設けて、操作装置５との通信においては、当該切替スイッチの切り替えに従って、常に作業を行っている作業者の有無の何れかの応答をすることとし、また、報知装置７との通信においては、当該切替スイッチの切り替えに従って、報知装置７から検知電波を受けた場合にタグ信号を発信する／しないを切り替える処理を行うこととしても良い。
【図面の簡単な説明】
【００７８】
【図１】本発明に係る作業者確認システムの一実施形態における全体構成を表す概観図である。
【図２】図１に示す作業者確認システムの一実施例における制御構成を表す機能ブロック図である。
【図３】（Ａ）、（Ｂ）共に、図２に示す作業者確認システムにおいて、操作者が操作装置によってＸ線照射の開始を指示する操作を行った時の処理の流れを表すシーケンス図である。
【図４】図２に示す作業者確認システムの他の実施例における制御構成を表す機能ブロック図である。
【図５】（Ａ）、（Ｂ）共に、図４に示す作業者確認システムにおいて、操作者が操作装置によって天板の移動動作の開始を指示する操作を行った時の処理の流れを表すシーケンス図である。
【符号の説明】
【００７９】
１  Ｘ線診断装置
１ａ  指示信号受信部
１ｂ  Ｘ線照射部
１ｃ  天板駆動部
２  仕切り壁
２ａ  観察窓
３  検査室
４  操作室
５  操作装置
５ａ  Ｘ線照射スイッチ
５ｂ  問合せ発信／応答受信部
５ｃ  指示信号送信制御部
５ｄ  天板移動スイッチ
６  出入口
７  報知装置
７ａ  アンテナ部
７ｂ  報知部
Ｐ１  操作者
Ｐ２  被検者
Ｐ３  作業者
【図１】
2005160768.tif 000003
【図２】
2005160768.tif 000004
【図３】
2005160768.tif 000005
【図４】
2005160768.tif 000006
【図５】
2005160768.tif 000007